(57)【特許請求の範囲】
【請求項１】
検証情報が保存されたバーチャル検証ディスクを有する第一デバイスが有線接続方式によって前記検証情報を第二デバイスに伝達することに関するデバイスマッチング方法であって、
前記第二デバイスはスマートフォンであり、
前記第一デバイスはブルートゥース（登録商標）イヤホンであり、
前記第二デバイスのアプリケーションプログラムは、前記第二デバイスのブルートゥース（登録商標）によるネットワークインターフェースを介した前記第一デバイスのブルートゥース（登録商標）によるネットワークインターフェースを経由して前記検証情報が検証されたとき前記第二デバイスが前記第一デバイスから音声を出力し、
前記デバイスマッチング方法は、
前記第二デバイスの接続インターフェースが、接続ケーブルを介して第一デバイスの検証接続インターフェースに電気的に接続されるステップａと、
前記第一デバイスが、前記バーチャル検証ディスクが駆動されることによって、当該第一デバイス又は前記第二デバイスが交換を必要とするデータを保管し、書き込み、読み取り、リライトの実行を行なうためのデータ交換の具体的空間を提供するモードとなった状態で、前記第二デバイスに電気的に接続されるステップｂと、
前記第二デバイスのアプリケーションプログラムが、前記第一デバイスが含むネットワーク関連情報を有して前記バーチャル検証ディスクに暗号化されて保存された前記検証情報を取得した後に、前記第二デバイスが前記第一デバイスに関連付けられるステップｃと、
後に前記第二デバイスが前記第一デバイスと再度関連付けられたとき既に経た重複する前のステップを省略するために前記検証情報が前記第二デバイスの保存空間に保存されるステップｃ１と、
安全性を高めつつ前記第一デバイスに対して前記検証情報を使用するデバイスが前記第二デバイスと互換性があるか検証させるために、前記第二デバイスのワイヤレスネットワークの情報が前記バーチャル検証ディスクにライトバックされるステップｃ２と、
前記接続ケーブルを外すことで、前記第二デバイスと前記第一デバイスの電気的接続を中断させるステップｄと、
前記第二デバイスのアプリケーションプログラムが、前記検証情報を使用して、前記第二デバイスの無線ネットワークを介して前記第一デバイスのネットワークインターフェースに伝達されて、最後に前記第一デバイスにアクセスされるステップｅと、
次のマッチングに備えるために、前記バーチャル検証ディスクが駆動されたモードにおける前記検証情報が異なる検証情報に書き換えられるステップｅ１と、
を備えることを特徴とするデバイスマッチング方法。
【請求項２】
前記第一デバイスは、保存機能をメインとするネットワークデバイスまたはブルートゥース（登録商標）による接続機能を有するマルチメディアデバイスであることを特徴とする請求項１に記載のデバイスマッチング方法。
【請求項３】
記第二デバイスは、無線接続によるアクセス機能を有するネットワークデバイスであることを特徴とする請求項１に記載のデバイスマッチング方法。
【請求項４】
前記接続インターフェース及び前記接続ケーブルは、ＵＳＢ  ＯＴＧ規範に適合することを特徴とする請求項１に記載のデバイスマッチング方法。
【請求項５】
前記バーチャル検証ディスクモードは、ＵＳＢ大容量記憶装置規範に適合することを特徴とする請求項１に記載のデバイスマッチング方法。
【発明の詳細な説明】
【技術分野】
【０００１】
本発明は、デバイスマッチング方法に関し、特に、有線接続方式によりライセンス情報を他のデバイスに伝達してから、無線方式で電気的に接続されて後続操作情報を交換するデバイスマッチング方法に関する。
【背景技術】
【０００２】
電子化の普及及び大衆化に伴い、人々は電子機器の利便性を利用して様々な使用習慣を生み出し、それに依頼するようになっている。さらに、多くの仕事上の情報や個人的なメッセージが各種電子機器中に残されていて、個人で使用する機器を他人と共有することが難しくなっている。
【０００３】
各種メッセージを安全に各電子機器に保存するためには、主に検証方式によって個人のプライバシーを確保するが、このうち、検証方式には、アカウントパスワード方式、ワンタイムパスワード（ＯＴＰ）方式、認証トークンの実装等の方式がある。また、マッチング方式により、電子機器間におけるアクセスを確実にすると同時に、ライセンス許可されていないユーザーが無断で電子機器を使用する状況を防止する。このような方式は、例えば、Ｗｉ−Ｆｉの不正接続防止措置、ブルートゥース（登録商標）のマッチング等がこれに当たる。
【０００４】
検証または互換性に関する文献には、以下のような特許がある。
【０００５】
ＴＷＩ５１９９９２では、登録検証方法及びシステム、コンピュータ記録媒体を開示している。前記方法は、第一クライアントが登録サーバーに第一登録請求を送り、前記登録サーバーが前記第一登録請求に基づき送り返した元の文字と対応付けされた文字間の対応関係を受信するステップと、第二クライアントが、前記対応付けされた関係に基づき、前記登録サーバーに第二登録請求を送り、前記第二クライアントが、登録請求の過程において、前記対応関係に基づき確定したユーザ情報に対応する対応付け後の情報を含むステップを備える。本発明は、二つのクライアントを通して連合登録を実現する、つまり、このうちの一つのクライアントがコンピュータウィルスに感染した場合、具体的なユーザ情報を取得するすることができないため、効果的に登録時検証の安全性を高めることができることで、ユーザ情報の安全性が保障されるということである。
【０００６】
ＴＷＩ５２０６５３では、無線安全自動マッチング方法、接続確立方法及び無線アクセスポイントデバイスを開示している。これは、電子デバイス自動マッチングを利用して、無線アクセスポイントデバイスに自動マッチングで接続され、この無線安全自動マッチング方法は以下のステップを備えることを開示している。そのステップは、以下の通りである。まず、電子デバイスから無線アクセスポイントデバイスに接続される。電子デバイスからネットＩＤが無線アクセスポイントデバイスに伝達される。電子デバイスにおいて、無線アクセスポイントデバイスから送られたネットユーザネームとパスワードが受信される。電子デバイスと無線アクセスポイントデバイス間の接続が中断される。電子デバイスからネットＩＤ、ネットユーザネーム及びパスワードを含む接続要求が無線アクセスポイントデバイスに伝達される。最後に、無線アクセスポイントデバイスを介して電子デバイスと無線アクセスポイントデバイス間の接続が確立される。
【０００７】
ＴＷＩ５０６９８７では、通信ターミナルが、請求ユニット、発光ユニット、検査ユニット、カメラユニット、解析ユニット及びマッチングユニットを備えることを開示している。請求ユニットは、クライアントが通信マッチング機能を起動させるとマッチング信号を発する。発光ユニットは、クライアントが、通信マッチング機能を起動させると特定の光を発する。検査ユニットは、その他の通信ターミナルが発するマッチング信号を受信するかどうかを検査して、その他の通信ターミナルが発するマッチング信号を受信してカメラ信号を発する。カメラユニットは、カメラ信号がその他の通信ターミナルの発光ユニットが発する光に反応して撮影を行なう。解析ユニットは、撮影された画像を解析する。マッチングユニットは、撮影された画像が特定のパラメータを含むかどうかを判断して、撮影された画像が特定のパラメータを含む時マッチングを完了させる。
【０００８】
ＴＷＩ４６７９７８では、有線または無線通信デバイスに用いられる安全マッチングが、メイン通信デバイスと周辺通信デバイス間において達成されることで、随意に無線または有線ネットワークが確立されることを開示している。唯一前記周辺デバイスに関するデバイス識別が、前記メインデバイス上に表示される。前記マッチングを受け入れるために、ユーザは前記表示された前記メインデバイス上に表示されたデバイス識別と前記周辺デバイス上にプリントされたデバイス識別のマッチングを確認し、次に前記周辺デバイス上のいずれかのキーを押すか、近距離無線通信（ＮＦＣ）技術が前記デバイス中において実施されると仮定して、前記周辺デバイスを前記メインデバイスと接触させて設置させるか、それに充分接近させるかすることで、前記マッチングの過程が完了する。したがって、前記周辺デバイス上の複雑なユーザインターフェースを必要とせずに、安全マッチングを達成させることが可能である。
【０００９】
しかしながら、従来の技術による機器は、主に無線転送方式により検証及びマッチング情報を交換するものであり、無線信号読み取り時の安全性の問題を効果的に排除できず、且つ、各種干渉によるデータ交換の失敗を招くこともある。
【先行技術文献】
【特許文献】
【００１０】
【特許文献１】ＴＷＩ５１９９９２号明細書
【特許文献２】ＴＷＩ５２０６５３号明細書
【特許文献３】ＴＷＩ５０６９８７号明細書
【特許文献４】ＴＷＩ４６７９７８号明細書
【発明の概要】
【発明が解決しようとする課題】
【００１１】
本発明は、以上の問題を解決して、接続ケーブルを利用して二つのデバイスを接続させ、実際の接続ケーブルを介して検証及びマッチング情報を交換することで、データの漏洩を確実に防ぎ、さらに、便利な無線接続方式を使用して前記二つのデバイスの通信を行なうことを特徴とするデバイスマッチング方法を提供することを課題とする。
【課題を解決するための手段】
【００１２】
したがって、本発明は、デバイスマッチング方法を提供すると同時に、安全で便利な通信効果を提供することを目的とする。
【００１３】
さらに、本発明は、実際の接続ケーブルを介して接続情報を交換して、無線環境において複数の同名のデバイス中から間違った選択をするという可能性を回避するデバイスマッチング方法を提供することを目的とする。
【００１４】
またさらに、本発明は、実際のケーブルによって接続情報を交換することで、いずれのデバイスに対しても相対する専属の接続情報を提供して、安全性を強化するデバイスマッチング方法を提供することを目的とする。
【００１５】
またさらに、本発明は、無線方式を利用してデータを交換して、使用上の制限を少なくするデバイスマッチング方法を提供することを目的とする。
【００１６】
上記の目的を達成させるために、本発明のデバイスマッチング方法は、以下の特徴を備える。本発明のデバイスマッチング方法は、特に、第一デバイスが有線接続方式によってライセンスデータを第二デバイスに送る方法に関する。そのステップは以下の通りである。ステップａ：前記第二デバイスの接続インターフェースが、接続ケーブルによって前記第一デバイスの検証接続インターフェースと電気的に接続される。ステップｂ：前記第一デバイスが、バーチャル検証ディスクモードによって、前記第二デバイスに電気的に接続される。ステップｃ：前記第二デバイスのアプリケーションプログラムが、前記バーチャル検証ディスクの検証情報を読み取る。ステップｄ：前記接続ケーブルをはずすことで、前記第二デバイスと前記第一デバイスの電気的接続が中断される。ステップｅ：前記第二デバイスの前記アプリケーションプログラムが、前記検証情報に基づき前記第二デバイスの一部の無線ネットワークを介して、前記第一デバイスのネットワークインターフェースに伝送されて、最後に前記第一デバイスの情報を読み取る。
【００１７】
本発明の目的及びその技術的な問題を解決するために、以下の方法によりこれを実現させる。
【００１８】
前記デバイスマッチング方法における第一デバイスは、保存機能をメインとするネットワークデバイスまたはブルートゥース（登録商標）接続機能を有するマルチメディアデバイスである。
【００１９】
前記デバイスマッチング方法における第二デバイスは、無線接続アクセス機能を有するネットワークデバイスである。
【００２０】
前記デバイスマッチング方法におけるステップｃの後、前記第二デバイスの前記無線ネットワーク情報を前記バーチャル検証ディスクにライトバックする。
【００２１】
前記デバイスマッチング方法におけるステップｃの後、前記検証情報（１２１）が前記第二デバイス（２０）の保存空間（２４）に保存される。
【００２２】
前記デバイスマッチング方法におけるステップｅの後、前記保存デバイスが前記バーチャル検証ディスクモード内の前記検証情報をリライトする。
【００２３】
前記デバイスマッチング方法における前記接続インターフェース及び前記接続ケーブルが、ＵＳＢ  ＯＴＧ規範に適合する。
【００２４】
前記デバイスマッチング方法における前記バーチャル検証ディスクモードが、ＵＳＢ大容量記憶装置デバイス規範に適合する。
【００２５】
前記デバイスマッチング方法における前記検証データが、暗号化方式で表示される。
【００２６】
従来の技術に比べて、本発明には、（１）実際の接続ケーブルにより接続データを交換することで接続成功率を高める（２）共通インターフェースを普及させることにより互換性を高める（３）実際の接続ケーブルを介して接続データを交換するという三つの特徴があり、効果的にネットワークの安全性を高めることが可能である。
【発明の効果】
【００２７】
このように、本発明のデバイスマッチング方法は、実際の接続ケーブルにより接続データを交換することで接続成功率を高めると同時に、共通インターフェースを普及させることにより互換性を高めることが可能である。さらに、実際の接続ケーブルを介して接続データを交換するという特徴があることで、効果的にネットワークの安全性を高めることが可能である。
【図面の簡単な説明】
【００２８】
【図１】本発明における好適な実施形態の第一フローチャートである。
【図２】本発明における好適な実施形態の第二フローチャートである。
【図３】本発明における好適な実施形態を示した図（一）である。
【図４】本発明における好適な実施形態を示した図（二）である。
【図５】本発明における好適な実施形態を示した図（三）である。
【図６】本発明における好適な実施形態を示した図（四）である。
【図７】本発明における好適な実施形態を示した図（五）である。
【図８】本発明における好適な実施形態を示した図（六）である。
【図９】本発明における好適な実施形態を示した図（七）である。
【実施例】
【００２９】
以下に、図を参照しながら、本発明のデバイスマッチング方法について説明する。
【００３０】
図１、図３、図４及び図５に示したのは、本発明のデバイスマッチング方法の第一実施形態である。先ず、図３を参照しながら説明する。第一デバイス１０は、検証接続インターフェース１１、バーチャル検証ディスク１２及びネットワークインターフェース１３を備える。また、第二デバイス２０は、接続インターフェース２１、アプリケーションプログラム２２及び無線ネットワーク２３を備える。さらに、接続ケーブル３０によって、有線方式で第一デバイス１０と第二デバイス２０が電気的に接続される。
【００３１】
具体的に言えば、前記検証接続インターフェース１１、前記接続インターフェース２１及び接続ケーブル３０は、ＵＳＢ（Ｕｎｉｖｅｒｓａｌ  Ｓｅｒｉａｌ  Ｂｕｓ）基準に適合し、さらに、前記接続インターフェスー２１及び前記接続ケーブル３０は、ＵＳＢ  ＯＴＧ（ＵＳＢ  Ｏｎ−Ｔｈｅ−Ｇｏ）規範に適合する。このうち、ＵＳＢ  ＯＴＧ規範は、ＵＳＢ周辺デバイスをＵＳＢホストに変換し、その他のＵＳＢ周辺デバイスに接続して通信させる。次に、バーチャル検証ディスク１２モードとは、第一デバイス１０内の保存空間をＵＳＢ大容量記憶デバイス（ＵＳＢ  ｍａｓｓ  ｓｔｏｒａｇｅ  ｄｅｖｉｃｅ  ｃｌａｓｓ）規範方式に適合させ、前記検証接続インターフェース１１によって外付けのＵＳＢホストに電気的に接続させて、データにアクセスさせる効果を提供することを指す。
【００３２】
次に、ネットワークインターフェース１３とは、イーサーネット（Ｅｔｈｅｒｎｅｔ）または無線ネットワーク（Ｗｉｒｅｌｅｓｓ  ｎｅｔｗｏｒｋ）インターフェースを指し、主な機能は複数のノード間における情報の伝送／交換であり、一般によく見られるのは、高速イーサーネット（１００ＢＡＳＥ−Ｔ、１０００ＢＡＳＥ−Ｔ標準）または無線ＬＡＮ等である。また、一部の無線ネットワーク２３は、無線ネットワーク（Ｗｉｒｅｌｅｓｓ  ｎｅｔｗｏｒｋ）インターフェースを指し、一般には、Ｗｉ−Ｆｉまたはブルートゥース（登録商標）（Ｂｌｕｅｔｏｏｔｈ（登録商標））で、主に実体を有さない回路のデータ交換機能を提供して使用環境の制限を少なくする。
【００３３】
このうち、アプリケーションプログラム２２は、メモリ内で実行されるプログラムを指し、詳細に述べれば、実行後も常にシステムのメモリ内に存在し、実行中に主なインターフェースのプログラムを表現する。アプリケーションプログラム２２の主な機能は、第一デバイス１０の各ネットワークインターフェースの設定を読み取り、第二デバイス２０のシステム中に設定することである。
【００３４】
このように、前記第一デバイス１０は、保存機能をメインとするネットワークデバイスまたはブルートゥース（登録商標）接続機能を有するマルチメディアデバイスであり、このうち、保存機能をメインとするネットワークデバイスでは、最も一般的なデバイスは、ネットワーク接続ストレージ（Ｎｅｔｗｏｒｋ  Ａｔｔａｃｈｅｄ  Ｓｔｏｒａｇｅ，ＮＡＳ）のような、ブルートゥース（登録商標）接続のマルチメディアデバイス、例えばブルートゥース（登録商標）イヤホン、ブルートゥース（登録商標）スピーカー等である。前記第二デバイス２０は、無線接続アクセス機能を有するネットワークデバイスで、例えば、スマートフォン等である。
【００３５】
先ず、図１のステップａ４１に示したように、前記第二デバイス２０の接続インターフェース２１は、接続ケーブル３０によって、前記第一デバイス１０の検証接続インターフェース１１に電気的に接続される。
【００３６】
図３に示したように、例えば、第二デバイス２０のスマートフォンを例とした場合、前記接続インターフェース２１のＵＳＢは、接続ケーブル３０に電気的に接続される。このうち、ＵＳＢにおいて、現在最も一般的なものは、２．０版Ｍｉｃｒｏ−ＵＳＢのＢ型コネクタ仕様または３．１版標準ＵＳＢのＣ型コネクタ仕様である。
【００３７】
さらに、前記接続ケーブル３０は、ＵＳＢ  ＯＴＧ規範に適合する外、例えば、一端が２．０版Ｍｉｃｒｏ−ＵＳＢのＢ型コネクタ仕様または３．１版標準ＵＳＢのＣ型コネクタ仕様で、他端が２．０版標準ＵＳＢのＡ型コネクタ仕様または３．１版標準ＵＳＢのＣ型コネクタ仕様である。このうち、例えば、第一デバイス１０のネットワーク接続ストレージ（ＮＡＳ）は、前記検証接続インターフェース１１を代表するＵＳＢを介して前記接続ケーブル３０に電気的に接続される。このうち、ＵＳＢにおいて、現在最も一般的なものは、２．０版Ｍｉｃｒｏ−ＵＳＢのＢ型コネクタ仕様または３．１版標準ＵＳＢのＣ型コネクタ仕様である。
【００３８】
さらに、図１のステップｂ４２に示したように、前記第一デバイス１０は、バーチャル検証ディスク１２モードによって、前記第二デバイス２０に電気的に接続される。
【００３９】
具体的には、前記バーチャル検証ディスク１２モードは、データ交換の具体的空間を提供することで、前記第一デバイス１０または前記第二デバイス２０が、交換を必要とするデータをこの空間に保管して、書き込み、読み取り、リライトの実行を行ないやすくする。また、前記バーチャル検証ディスク１２は、情報がデジタル化された後、さらに電気的、磁気的方式により保存された電子部品情報がコントローラ及びオペレーションシステムを介して表現される形態を指す。
【００４０】
次に、図１のステップｂ４２に示したように、前記第二デバイス２０のアプリケーションプログラム２２は、前記バーチャル検証ディスク１２の検証情報１２１を読み取る。
【００４１】
実際には、図３に示したように、前記検証情報１２１は、前記バーチャル検証ディスク１２中に保存され、前記検証情報１２１は、前記第一デバイス１０が含むネットワーク関連情報を有して、アプリケーションプログラム２２が前記検証情報１２１を取得した後、前記第二デバイス２０が前記第一デバイス１０に接続される。好適には、前記検証情報１２１は、暗号化されて表示されることが望ましい。
【００４２】
さらに、図１のステップｃ４３及び図４に示したように、前記接続ケーブル３０を外すと、前記第二デバイス２０と前記第一デバイス１０の電気的接続が中断される。
【００４３】
最後に、図１のステップｄ４４及び図５に示したように、前記第二デバイス２０の前記アプリケーションプログラム２２は、前記検証情報１２１を使用して、前記第二デバイス２０の一部の無線ネットワーク２３を介して、前記第一デバイス１０のネットワークインターフェース１３に伝送されて、最後に前記第一デバイス１０にアクセスされる。
【００４４】
ここで例を挙げて説明する。その一、前記第二デバイス２０はスマートフォン、前記第一デバイス１０はネットワーク接続ストレージ（Ｎｅｔｗｏｒｋ  Ａｔｔａｃｈｅｄ  Ｓｔｏｒａｇｅ，ＮＡＳ）であり、専属の前記アプリケーションプログラム２２は、前記検証情報１２１を使用して、前記第二デバイス２０の無線ネットワーク２３（ここではＷｉ−Ｆｉ）を介して、第一デバイス１０のネットワークインターフェース１３（ここでは無線または有線ネットワーク）を経由して検証した後、第一デバイス１０に位置する保存空間にアクセスする。その二、前記第二デバイス２０はスマートフォン、前記第一デバイス１０はブルートゥース（登録商標）イヤホンであり、専属の前記アプリケーションプログラム２２は、前記検証情報１２１を使用して、前記第二デバイス２０の無線ネットワーク２３（ここではブルートゥース（登録商標））を介して、第一デバイス１０のネットワークインターフェース１３（ここではブルートゥース（登録商標））を経由して検証した後、前記第二デバイス２０が第一デバイス１０から音声を出力する。
【００４５】
さらに、図１、図３、図４及び図５に示したのは、本発明におけるデバイスマッチング方法の第二実施形態である。第一実施形態において、図１、図３、図４及び図５中すでに説明済みの特徴が、図２、図６、図７、図８及び図９と同一である場合は、図２、図６、図７、図８及び図９における符号の標示または省略については再述しない。第二実施形態が、第一実施形態と異なるのは、本実施形態が第一実施形態のステップｃ４３とステップｄ４４の間にステップｃ１４３１及びステップｃ２４３２が追加され、且つ、第一実施形態のステップｅ４５の後にステップｅ１４５１が追加されている点である。
【００４６】
先ず、図２を参照しながら説明する。ステップａ４１、ステップｂ４２及びステップｃ４３は、第一実施形態と全く同様である。
【００４７】
次に、同時にステップｃ１４３１及びステップｃ２４３２を参照しながら説明する。このうち、ステップｃ１４３１では、前記検証情報１２１が前記第二デバイス２０の保存空間２４に保存される。ステップｃ２４３２では、前記第二デバイス２０の前記無線ネットワーク２３の情報が前記バーチャル検証ディスク１２にライトバックされる。
【００４８】
このうち、ステップｃ１４３１の目的は、主に、前記第二デバイス２０を、その後随時第一デバイス１０に接続させて、前のステップを重複する必要がないという点である。さらに、前記保存空間２４は、情報がデジタル化された後、さらに、電気的、磁気的方式により、保存された電子部品情報がコントローラ及びオペレーションシステムを介して表現される形態を指す。ステップｃ２４３２の目的は、主に、安全性を高めるためであり、第一デバイス１０に、前記検証情報１２１を使用するデバイスが、前記第二デバイス２０と互換性があるかどうかを検証するためである。
【００４９】
さらに、図２に示したように、ステップｄ４４及びステップｅ４５は、第一実施形態と全く同様である。
【００５０】
次に、図２のステップｅ１４５１では、前記第一デバイス１０が、前記バーチャル検証ディスク１２モード内の前記検証情報１２１をリライトする。。
【００５１】
実際には、ステップｅ１４５１は、ステップｃ２４３２に対応して、第一デバイス１０に、接続デバイスの互換性の有無を検証させ、最初にマッチングした相手ではない対象が  同一の検証情報１２１を使用して検証を通過させようと試みるのを拒否する。したがって、  ステップｅ１４５１は、図８、図９に示したように、前記バーチャル検証ディスク１２モード内の前記検証情報１２１が、検証情報１２１’にリライトされて、次のマッチングに備える。
【００５２】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００５３】
１０       第一デバイス
１１       検証接続インターフェース
１２       バーチャル検証ディスク
１２１       検証情報
１３       ネットワークインターフェース
２０       第二デバイス
２１       接続インターフェース
２２       アプリケーションプログラム
２３       無線ネットワーク
３０       接続ケーブル
４１       ステップａ
４２       ステップｂ
４３       ステップｃ
４３１       ステップｃ１  
４４       ステップｄ
４５       ステップｅ
４５１       ステップｅ１
【図１】
0006443892.tif 000002
【図２】
0006443892.tif 000003
【図３】
0006443892.tif 000004
【図４】
0006443892.tif 000005
【図５】
0006443892.tif 000006
【図６】
0006443892.tif 000007
【図７】
0006443892.tif 000008
【図８】
0006443892.tif 000009
【図９】
0006443892.tif 000010